(57)【特許請求の範囲】
【請求項１】
収納空間を有した包装箱と、
本体部の一面から前記本体部に直交する方向に突き出した突部を有し、前記包装箱の収納空間に収納された被包装体と、
前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、
を備え、
前記平面部は、前記被包装体の前記突部を保持した包装体。
【請求項２】
前記平面部は、前記包装箱の内面との間で前記被包装体の前記突部を挟み込んだ請求項１に記載の包装体。
【請求項３】
前記平面部は、前記被包装体の前記突部を両側から挟み込んだ請求項１に記載の包装体。
【請求項４】
収納空間を有した包装箱と、
本体部の一面から前記本体部に直交する方向に突き出した突部を有し、前記包装箱の収納空間に収納された被包装体と、
前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、
を備え、
前記突部は、前記包装箱の内面との間で他の被包装体の本体部に挟み込まれた包装体。
【請求項５】
収納空間を有した包装箱と、
本体部の一面から前記本体部に直交する方向に突き出した突部を有し、前記包装箱の収納空間に収納された被包装体と、
前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、
を備え、
前記突部は、前記本体部に対し、前記包装箱からの前記被包装体の取り出し方向に配置された包装体。
【請求項６】
前記突部は、前記本体部に対し、前記包装箱からの前記被包装体の取り出し方向と直交する方向に配置された請求項４に記載の包装体。
【請求項７】
収納空間を有した包装箱と、
本体部の一面から前記本体部に直交する方向に突き出した突部を有し、前記包装箱の収納空間に収納された被包装体と、
前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、
を備え、
前記緩衝部材は、前記包装箱と同じ材料で形成された包装体。
【請求項８】
収納空間を有した包装箱と、
本体部の一面から前記本体部に直交する方向に突き出した突部を有し、前記包装箱の収納空間に収納された被包装体と、
前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、
を備え、
前記被包装体は、
本体部の一面から前記本体部に直交する方向に突き出した突部を有した化粧箱と、
前記化粧箱に収納された照明具と、
を備えた包装体。
【請求項９】
収納空間を有した包装箱と、
本体部の一面から前記本体部に直交する方向に突き出した吊下げ用フラップを有した化粧箱に収納された状態で前記包装箱の収納空間に収納された照明具と、
前記包装箱の内面と前記化粧箱における前記本体部の前記一面と前記吊下げ用フラップとに囲まれた空間に収納された状態で、前記化粧箱の前記一面と前記吊下げ用フラップとに端面部を対向させることなく平面部を対向させた緩衝部材と、
を備えた包装体。
【請求項１０】
本体部の一面から前記本体部に直交する方向に突き出した突部を有した被包装体を包装箱の収納空間に収納する第１工程と、
前記第１工程の後、前記包装箱の内面と前記被包装体における前記本体部の前記一面と前記突部とに囲まれた空間に緩衝部材を収納する際に前記被包装体における前記本体部の前記一面と前記突部とに前記緩衝部材の端面部を対向させることなく前記緩衝部材の平面部を対向させる第２工程と、
を備えた包装体の製造方法。
【請求項１１】
請求項８または請求項９に記載の化粧箱から取り出された照明具と、
前記照明具が取り付けられた照明器具と、
を備えた照明装置。
【発明の詳細な説明】
【技術分野】
【０００１】
この発明は、包装体、包装体の製造方法および照明装置に関する。
【背景技術】
【０００２】
特許文献１は、緩衝部材を開示する。当該緩衝部材は、押え板の端面部で被包装体の移動を制限する。
【先行技術文献】
【特許文献】
【０００３】
【特許文献１】特開２０１１−２５１６９２号公報
【発明の概要】
【発明が解決しようとする課題】
【０００４】
しかしながら、特許文献１に記載のものにおいて、押え板の端面部は、被包装体の上面に接触する。このため、被包装体の上面は、押え板の端面部から集中的に荷重を受け得る。その結果、被包装体の上面は、変形し得る。
【０００５】
この発明は、上述の課題を解決するためになされた。この発明の目的は、被包装体の変形を抑制することができる包装体、包装体の製造方法、照明装置を提供することである。
【課題を解決するための手段】
【０００７】
この発明に係る包装体は、収納空間を有した包装箱と、本体部の一面から前記本体部に直交する方向に突き出した突部を有し、前記包装箱の収納空間に収納された被包装体と、前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、を備え、前記平面部は、前記被包装体の前記突部を保持した。
この発明に係る包装体は、収納空間を有した包装箱と、本体部の一面から前記本体部に直交する方向に突き出した突部を有し、前記包装箱の収納空間に収納された被包装体と、前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、を備え、前記突部は、前記包装箱の内面との間で他の被包装体の本体部に挟み込まれた。
この発明に係る包装体は、収納空間を有した包装箱と、本体部の一面から前記本体部に直交する方向に突き出した突部を有し、前記包装箱の収納空間に収納された被包装体と、前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、を備え、前記突部は、前記本体部に対し、前記包装箱からの前記被包装体の取り出し方向に配置された。
この発明に係る包装体は、収納空間を有した包装箱と、本体部の一面から前記本体部に直交する方向に突き出した突部を有し、前記包装箱の収納空間に収納された被包装体と、前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、を備え、前記緩衝部材は、前記包装箱と同じ材料で形成された。
この発明に係る包装体は、収納空間を有した包装箱と、本体部の一面から前記本体部に直交する方向に突き出した突部を有し、前記包装箱の収納空間に収納された被包装体と、前記包装箱の内面と前記被包装体における前記本体部の前記一面と前記突部とに囲まれた空間に収納された状態で、前記被包装体における前記本体部の前記一面と前記突部とに端面部を対向させることなく平面部を対向させた緩衝部材と、を備え、前記被包装体は、本体部の一面から前記本体部に直交する方向に突き出した突部を有した化粧箱と、前記化粧箱に収納された照明具と、を備えた。
【０００８】
この発明に係る包装体は、収納空間を有した包装箱と、本体部の一面から前記本体部に直交する方向に突き出した吊下げ用フラップを有した化粧箱に収納された状態で前記包装箱の収納空間に収納された照明具と、前記包装箱の内面と前記化粧箱における前記本体部の前記一面と前記吊下げ用フラップとに囲まれた空間に収納された状態で、前記化粧箱の前記一面と前記吊下げ用フラップとに端面部を対向させることなく平面部を対向させた緩衝部材と、を備えた。
【０００９】
この発明に係る包装体の製造方法は、本体部の一面から前記本体部に直交する方向に突き出した突部を有した被包装体を包装箱の収納空間に収納する第１工程と、前記第１工程の後、前記包装箱の内面と前記被包装体における前記本体部の前記一面と前記突部とに囲まれた空間に緩衝部材を収納する際に前記被包装体における前記本体部の前記一面と前記突部とに前記緩衝部材の端面部を対向させることなく前記緩衝部材の平面部を対向させる第２工程と、を備えた。
【００１０】
この発明に係る照明装置は、上記化粧箱から取り出された照明具と、前記照明具が取り付けられた照明器具と、を備えた。
【発明の効果】
【００１１】
これらの発明によれば、緩衝部材は、被包装体における本体部の一面と突部とに端面部を対向させることなく平面部を対向させる。このため、被包装体の変形を抑制することができる。
【図面の簡単な説明】
【００１２】
【図１】この発明の実施の形態１における包装体の分解斜視図である。
【図２】この発明の実施の形態１における包装体の斜視図である。
【図３】この発明の実施の形態１における包装体の縦断面図である。
【図４】この発明の実施の形態１における包装体の被包装体の分解斜視図である。
【図５】この発明の実施の形態１における包装体の化粧箱と内側緩衝部材と包装箱と外側緩衝部材との展開図である。
【図６】この発明の実施の形態１における包装体から取り出された照明具が取り付けられた照明装置の側面図である。
【図７】この発明の実施の形態１における包装体から取り出された照明具が取り付けられた照明装置の第１変形例の縦断面図である。
【図８】この発明の実施の形態１における包装体の緩衝体の第１変形例を説明するための図である。
【図９】この発明の実施の形態１における包装体の緩衝体の第２変形例を説明するための図である。
【図１０】この発明の実施の形態１における包装体の緩衝体の第３変形例を説明するための図である。
【図１１】この発明の実施の形態１における包装体の緩衝体の第４変形例を説明するための図である。
【図１２】この発明の実施の形態１における包装体の緩衝体の第５変形例を説明するための図である。
【図１３】この発明の実施の形態１における包装体の緩衝体の第６変形例を説明するための図である。
【図１４】この発明の実施の形態１における包装体の緩衝体の第７変形例を説明するための図である。
【図１５】この発明の実施の形態１における包装体の緩衝体の第８変形例を説明するための図である。
【図１６】この発明の実施の形態１における包装体の緩衝体の第９変形例を説明するための図である。
【図１７】この発明の実施の形態１における包装体の緩衝体の第１０変形例を説明するための図である。
【図１８】この発明の実施の形態１における包装体の緩衝体の第１１変形例を説明するための図である。
【図１９】この発明の実施の形態２における包装体の分解斜視図である。
【図２０】この発明の実施の形態２における包装体の緩衝体を説明するための図である。
【図２１】この発明の実施の形態２における包装体の緩衝体の第１変形例を説明するための図である。
【図２２】この発明の実施の形態２における包装体の緩衝体の第２変形例を説明するための図である。
【図２３】この発明の実施の形態３における包装体の分解斜視図である。
【図２４】この発明の実施の形態３における包装体の被包装体の分解斜視図である。
【発明を実施するための形態】
【００１３】
この発明を実施するための形態について添付の図面に従って説明する。なお、各図中、同一又は相当する部分には、同一の符号が付される。当該部分の重複説明は適宜に簡略化又は省略化される。各構成の大きさの関係は、実際と異なる場合もある。
【００１４】
実施の形態１．
図１はこの発明の実施の形態１における包装体の分解斜視図である。図２はこの発明の実施の形態１における包装体の斜視図である。
【００１５】
包装体１は、複数の被包装体２と包装箱３と固定体４と緩衝体５とを備える。
【００１６】
複数の被包装体２の各々は、本体部２０１と突部２０２とを備える。例えば、本体部２０１は、直方体状に形成される。例えば、突部２０２は、本体部２０１の一面から本体部２０１に直交する方向に平面状に突き出す。
【００１７】
例えば、包装箱３は、段ボールシートから形成される。段ボールシートは、波状に成形された中心紙の片面または両面に厚紙をはり合わせた板紙で形成される。例えば、段ボールシートの種類は、被包装体２の仕様に応じて、片面段ボールと両面段ボールと複両面段ボールとの中から選択される。例えば、段ボールシートの種類は、被包装体２の外形と寸法と質量とに応じて選択される。例えば、段ボールシートの段数は、被包装体２の仕様に応じて、Ａ段とＢ段とＥ段との中から選択される。例えば、段ボールシートの段数は、被包装体２の外形と寸法と質量とに応じて選択される。
【００１８】
図１と図２とにおいて、包装箱３は、みかん箱タイプの段ボール箱である。すなわち、包装箱３は、Ａ式の段ボール箱である。包装箱３は、本体部３０１と底部３０２と蓋部３０３とを備える。
【００１９】
本体部３０１は、一対の第１側面部３０１ａと一対の第２側面部３０１ｂと貼合部３０１ｃとを備える。
【００２０】
底部３０２は、一対の第１翼部３０２ａと一対の第２翼部３０２ｂとを備える。第１翼部３０２ａの一方は、第１側面部３０１ａの一方の下縁部に連結される。第１翼部３０２ａの他方は、第１側面部３０１ａの他方の下縁部に連結される。第２翼部３０２ｂの一方は、第２側面部３０１ｂの一方の下縁部に連結される。第２翼部３０２ｂの他方は、第２側面部３０１ｂの他方の下縁部に連結される。
【００２１】
蓋部３０３は、一対の第１翼部３０３ａと一対の第２翼部３０３ｂとを備える。第１翼部３０３ａの一方は、第１側面部３０１ａの一方の上縁部に連結される。第１翼部３０３ａの他方は、第１側面部３０１ａの他方の上縁部に連結される。第２翼部３０３ｂの一方は、第２側面部３０１ｂの一方の上縁部に連結される。第２翼部３０３ｂの他方は、第２側面部３０１ｂの他方の上縁部に連結される。
【００２２】
例えば、固定体４は、粘着テープからなる。例えば、固定体４は、接着剤からなる。例えば、固定体４は、ステップルからなる。
【００２３】
緩衝体５は、外側緩衝部材５０１と固定部材５０２とを備える。
【００２４】
例えば、外側緩衝部材５０１は、段ボールシートから形成される。段ボールシートは、波状に成形された中心紙の片面または両面に厚紙をはり合わせた板紙で形成される。例えば、段ボールシートの種類は、被包装体２の仕様に応じて、片面段ボールと両面段ボールと複両面段ボールとの中から選択される。例えば、段ボールシートの種類は、被包装体２の外形と寸法と質量とに応じて選択される。例えば、段ボールシートの段数は、被包装体２の仕様に応じて、Ａ段とＢ段とＥ段との中から選択される。例えば、段ボールシートの段数は、被包装体２の外形と寸法と質量とに応じて選択される。例えば、外側緩衝部材５０１は、包装箱３と同じ材料で形成される。外側緩衝部材５０１は、上面部５０１ａと下面部５０１ｂと第１側面部５０１ｃと第２側面部５０１ｄと内面部５０１ｅと第１端面部５０１ｆと第２端面部５０１ｇとを備える。
【００２５】
例えば、固定部材５０２は、粘着テープからなる。例えば、固定部材５０２は、接着剤からなる。例えば、固定部材５０２は、ステップルからなる。
【００２６】
例えば、包装体１の組立は、以下の手順で行われる。
【００２７】
被包装体２が包装する対象物に応じて組み立てられる。
【００２８】
その後、包装箱３の本体部３０１が組み立てられる。具体的には、一対の第１側面部３０１ａと一対の第２側面部３０１ｂとが全体として角筒状となるように段ボールシートが折り曲げられる。その後、貼合部３０１ｃが第１側面部３０１ａの一方の側縁部に固定される。その結果、本体部３０１は、角筒状に維持される。
【００２９】
その後、包装箱３の底部３０２が閉じられる。具体的には、一対の第１翼部３０２ａが包装箱３の内側の方向に倒される。その後、一対の第２翼部３０２ｂが包装箱３の内側の方向に倒される。その結果、一対の第２翼部３０２ｂが互いの縁部を対向させる。その後、固定体４が一対の第２翼部３０２ｂを固定する。その結果、底部３０２は、本体部３０１に形成された収納空間の下部を塞いだ状態に維持される。
【００３０】
その後、緩衝体５が組み立てられる。具体的には、上面部５０１ａと下面部５０１ｂと第１側面部５０１ｃと第２側面部５０１ｄとが全体として角筒状となるように外側緩衝部材５０１が折り曲げられる。その後、固定部材５０２が外側緩衝部材５０１の第１側面部５０１ｃと内面部５０１ｈと固定する。その結果、外側緩衝部材５０１は、角筒状に維持される。
【００３１】
その後、複数の被包装体２が包装箱３の収納空間に収納される。この際、複数の被包装体２は、包装箱３からの取り出し方向に突部２０２を配置させて２列に並べられる。
【００３２】
具体的には、１列目の被包装体２は、突部２０２を上側に配置させた状態で包装箱３の一側の内側面に突部２０２を沿わせて包装箱３に収納される。その結果、１列目の被包装体２の突部２０２は、包装箱３の一側の内側面に沿って直線状に並ぶ。２列目の被包装体２は、突部２０２を上側に配置させた状態で包装箱３の他側の内側面に突部２０２を沿わせて包装箱３に収納される。その結果、２列目の被包装体２の突部２０２は、包装箱３の他側の内側面に沿って直線状に並ぶ。
【００３３】
その後、緩衝体５が包装箱３に収納される。具体的には、緩衝体５が複数の包装体１の本体部２０１の上面部に配置される。その結果、１列目の被包装体２の突部２０２は、包装箱３の一側の内側面と外側緩衝部材５０１の第１側面部５０１ｃとに挟まれる。２列目の被包装体２の突部２０２は、包装箱３の他側の内側面と外側緩衝部材５０１の第２側面部５０１ｄとに挟まれる。
【００３４】
その後、包装箱３の蓋部３０３が閉じられる。具体的には、一対の第１翼部３０３ａが包装箱３の内側の方向に倒される。その後、一対の第２翼部３０３ｂが包装箱３の内側の方向に倒される。その結果、一対の第２翼部３０３ｂが互いの縁部を対向させる。その後、固定体４が一対の第２翼部３０３ｂを固定する。その結果、蓋部３０３は、本体部３０１に形成された収納空間の上部を塞いた状態に維持される。
【００３５】
次に、図３を用いて、緩衝体５の詳細を説明する。
図３はこの発明の実施の形態１における包装体の緩衝体を説明するための図である。具体的には、図３の上段は、緩衝体の縦断面図である。図３の下段は、包装体の縦断面図である。
【００３６】
θ１は、外側緩衝部材５０１の下側の折曲角度である。θ２は、外側緩衝部材５０１の上側の折曲角度である。Ｗ１は、外側緩衝部材５０１の上側の幅寸法である。Ｗ２は、外側緩衝部材５０１の下側の幅寸法である。Ｗ４は、包装箱３の収納空間の幅寸法である。Ｌ１は、被包装体２の高さ寸法である。Ｌ２は、被包装体２の本体部２０１の高さ寸法である。Ｌ３は、被包装体２の突部２０２の突出寸法である。Ｌ４は、外側緩衝部材５０１の高さ寸法である。Ｌ５は、包装箱３の収納空間の高さ寸法である。
【００３７】
外側緩衝部材５０１の下側の折曲角度θ１は、９０°よりも大きい角度の角度に設定される。外側緩衝部材５０１の下側の折曲角度θ２は、９０°よりも小さい角度に設定される。外側緩衝部材５０１の上側の幅寸法Ｗ１は、包装箱３の収納空間の幅寸法Ｗ４以下に設定される。外側緩衝部材５０１の下側の幅寸法Ｗ２は、外側緩衝部材５０１の上側の幅寸法Ｗ１以下に設定される。このため、緩衝体５は、包装箱３の収納空間に収納される際に１列目の被包装体２の突部２０２と２列目の被包装体２の突部２０２とに間に引っ掛かることなく収納空間に挿入される。
【００３８】
外側緩衝部材５０１の高さ寸法Ｌ４は、被包装体２の突部２０２の突出寸法Ｌ３より大きく設定される。このため、被包装体２と緩衝体５とが包装箱３に包装された状態で上下方向の振動または衝撃を受けた際、被包装体２の突部２０２は、包装箱３の蓋部３０３に衝突しない。その結果、被包装体２の突部２０２の変形が防止される。
【００３９】
この際、外側緩衝部材５０１は、包装箱３の蓋部３０３に裁断面である第１端面部５０１ｆと第２端面部５０１ｇとを対向させることなく上面部５０１ａを対向させる。外側緩衝部材５０１は、被包装体２の本体部３０１の上面部に裁断面である第１端面部５０１ｆと第２端面部５０１ｇとを対向させることなく下面部５０１ｂを対向させる。外側緩衝部材５０１は、１列目の被包装体２の突部２０２に裁断面である第１端面部５０１ｆと第２端面部５０１ｇとを対向させることなく第１側面部５０１ｃを対向させる。外側緩衝部材５０１は、第２列目の被包装体２の突部２０２に裁断面である第１端面部５０１ｆと第２端面部５０１ｇとを対向させることなく第２側面部５０１ｄを対向させる。
【００４０】
次に、図４を用いて、被包装体２の例を説明する。
図４はこの発明の実施の形態１における包装体の被包装体の分解斜視図である。
【００４１】
図４に示すように、被包装体２は、照明具２０３と化粧箱２０４と内側緩衝部材２０５とを備える。
【００４２】
例えば、照明具２０３は、発光ダイオード素子を用いた電球型ＬＥＤランプである。平面視において、照明具２０３は、円形をなす回転対称の形状である。照明具２０３は、本体部２０３ａと光透過部２０３ｂと口金２０３ｃとによって外郭を形成する。照明具２０３は、光透過部２０３ｂの側が最大径部となる。照明具２０３の外径は、光透過部２０３ｂの側から口金２０３ｃの側に向かって徐々に縮む。
【００４３】
例えば、本体部２０３ａは、図示しない発光ダイオード素子を備える。例えば、本体部２０３ａは、図示しない発光ダイオード素子が実装された図示しない基板を備える。例えば、本体部２０３ａは、放熱部２０３ｄと絶縁部２０３ｅとを備える。
【００４４】
例えば、放熱部２０３ｄは、高い熱伝達性能を有する金属材料で形成される。例えば、放熱部２０３ｄは、アルミ二ウムで形成される。例えば、放熱部２０３ｄは、アルミニウムを含む合金で形成される。例えば、放熱部２０３ｄは、セラミック材料で形成される。例えば、放熱部２０３ｄは、図示しない溝を備える。
【００４５】
絶縁部２０３ｅは、放熱部２０３ｄの内側に配置される。絶縁部２０３ｅは、高い絶縁性能を有する樹脂材料で形成される。例えば、絶縁部２０３ｅは、ポリエチレンテレフタレートで形成される。例えば、絶縁部２０３ｅは、セラミック材料で形成される。例えば、絶縁部２０３ｅは、図示しない爪を備える。絶縁部２０３ｅは、放熱部２０３ｄの溝に爪を嵌合させることにより放熱部２０３ｄに固定される。絶縁部２０３ｅは、図示しない点灯装置を備える。点灯装置は、絶縁部２０３ｅの内部に設けられる。絶縁部２０３ｅは、放熱部２０３ｄと点灯装置との間に配置される。絶縁部２０３ｅは、放熱部２０３ｄと点灯装置とを電気的に絶縁する。
【００４６】
光透過部２０３ｂは、側面視において球状に形成される。光透過部２０３ｂは、発光ダイオード素子から出射される光を透過する材料で形成される。光透過部２０３ｂは、製品仕様に応じて選定される。例えば、光透過部２０３ｂは、ガラスで形成される。例えば、光透過部２０３ｂは、樹脂で形成される。例えば、光透過部２０３ｂは、ポリカーボネートで形成される。例えば、光透過部２０３ｂは、アクリルで形成される。光透過部２０３ｂは、発光ダイオード素子の光が出射される側を覆う。光透過部２０３ｂは、発光ダイオード素子から出射される光を透過させる機能と拡散する機能と集める機能と反射させる機能とを併せ持つ。
【００４７】
口金２０３ｃは、絶縁部２０３ｅの一端に取り付けられる。口金２０３ｃは、絶縁部２０３ｅの内部に設けられた点灯装置と電気的に接続される。
【００４８】
例えば、化粧箱２０４は、板紙で形成される。化粧箱２０４は、本体部２０４ａと底部２０４ｂと蓋部２０４ｃと突部２０４ｄとを備える。
【００４９】
本体部２０４ａは、第１側面部２１１と第２側面部２１２と第３側面部２１３と第４側面部２１４と貼合部２１５とを備える。
【００５０】
底部２０４ｂは、第１底翼部２２１と第２底翼部２２２と第３底翼部２２３と第４底翼部２２４とを備える。
【００５１】
蓋部２０４ｃは、第１翼部２３１と第２翼部２３２と蓋フラップ２３３とを備える。第１翼部２３１は、主板部２３１ａと側板部２３１ｂと挿通孔２３１ｃと差込部２３１ｄとを備える。第２翼部２３２は、主板部２３２ａと側板部２３２ｂと保持板部２３２ｃとを備える。蓋フラップ２３３は、主板部２３３ａと差込部２３３ｂと切込部２３３ｃとを備える。
【００５２】
突部２０４ｄは、吊下げ用フラップである。突部２０４ｄは、第１板部２４１と第２板部２４２と吊下用孔２４３とを備える。
【００５３】
内側緩衝部材２０５は、主板部２５１と第１側板部２５２と第２側板部２５３と挿通孔２５４とを備える。
【００５４】
被包装体２の組立は、以下の手順で行われる。
【００５５】
化粧箱２０４の本体部２０４ａが組み立てられる。具体的には、第１側面部２１１と第２側面部２１２と第３側面部２１３と第４側面部２１４とが全体として角筒状となるように板紙が折り曲げられる。その後、貼合部２１５が第４側面部２１４の側縁部に固定される。その結果、本体部２０４ａは、角筒状に維持される。
【００５６】
その後、化粧箱２０４の底部２０４ｂが閉じられる。具体的には、第１底翼部２２１と第２底翼部２２２と第３底翼部２２３と第４底翼部２２４とが化粧箱２０４の内側に倒された状態で維持される。
【００５７】
その後、化粧箱２０４の突部２０４ｄが組み立てられる。具体的には、第２板部２４２が化粧箱２０４の内側に倒される。
【００５８】
その後、内側緩衝部材２０５が組み立てられる。具体的には、一対の第１側板部２５２が下側に倒される。一対の第２側板部２５３が上側に倒される。その後、内側緩衝部材２０５が化粧箱２０４の収納空間に収納される。
【００５９】
その後、照明具２０３が化粧箱２０４の収納空間に収納される。この際、口金２０３ｃは、内側緩衝部材２０５の挿通孔２５４に挿入される。
【００６０】
その後、化粧箱２０４の蓋部２０４ｃが閉じられる。具体的には、第１翼部２３１が化粧箱２０４の内側に倒される。この際、挿通孔２３１ｃは、照明具２０３の光透過部２０３ｂの上部に嵌まる。その後、第２翼部２３２が化粧箱２０４の内側に倒される。その後、蓋フラップ２３３が内側に倒される。
【００６１】
次に、図５を用いて、化粧箱２０４と内側緩衝部材２０５と包装箱３と外側緩衝部材５０１との展開図を説明する。
図５はこの発明の実施の形態１における包装体の化粧箱と内側緩衝部材と包装箱と外側緩衝部材との展開図である。具体的には、図５の上段の左側は、化粧箱の展開図である。図５の上段の右側は、内側緩衝部材の展開図である。図５の中段は、包装箱の展開図である。図５の下段は、外側緩衝部材の展開図である。
【００６２】
図５の上段の左側において、罫線ｆ１は、破線で示される。例えば、罫線ｆ１は、折罫である。Ａ部の罫線ｆ１はなくてもよい。
【００６３】
図５の上段の右側において、罫線ｆ２は、破線で示される。例えば、罫線ｆ２は、折罫である。
【００６４】
図５の中段において、罫線ｆ３は、破線で示される。例えば、罫線ｆ３は、折罫である。例えば、罫線ｆ３は、段ボールシートの表面の側に形成されたミシン罫である。
【００６５】
図５の下段において、罫線ｆ４は、破線で示される。例えば、罫線ｆ４は、折罫である。例えば、罫線ｆ４は、段ボールシートの表面の側に形成されたミシン罫である。
【００６６】
次に、照明具２０３の使用方法を説明する。
図６はこの発明の実施の形態１における包装体から取り出された照明具が取り付けられた照明装置の側面図である。
【００６７】
図６に示すように、照明装置６は、天井７に吊り下げられる。照明装置６は、照明器具８と照明具２０３とを備える。
【００６８】
照明器具８は、器具本体８０１とソケット８０２と電源コード８０３と引掛シーリング８０４とを備える。
【００６９】
器具本体８０１の外郭は、円柱状に形成される。ソケット８０２は、器具本体８０１の内部の下部に設けられる。電源コード８０３の下端部は、器具本体８０１に電気的に接続される。電源コード８０３の上端部は、図示しない商用電源の図示しない出力部と電気的に接続される。引掛シーリング８０４は、電源コード８０３の上端部と商用電源の出力部との接続部を覆う。
【００７０】
照明具２０３は、化粧箱２０４（図６においては図示せず）から取り外される。その後、照明具２０３の口金２０３ｃは、ソケットにねじ込まれる。
【００７１】
商用電源は、交流電力を供給する。当該交流電力は、電源コード８０３とソケット８０２と口金２０３ｃとを介して点灯装置に供給される。点灯装置は、当該交流電力を点灯電力に変換する。点灯装置は、当該点灯電力を発光ダイオード素子に供給する。発光ダイオード素子は、当該点灯電力により光を出力する。当該光は、照明具２０３の光透過部２０３ｂを透過する。その結果、照明装置６の外部は、明るくなる。
【００７２】
以上で説明した実施の形態１によれば、緩衝体５は、包装箱３の内面と被包装体２における本体部２０１の一面と突部２０２に囲まれた空間に収納される。このため、被包装体２が包装箱３の収納空間において移動することを抑制できる。この際、外側緩衝部材５０１は、被包装体２における本体部２０１の一面と突部２０２とに第１端面部５０１ｆと第２端面部５０１ｇとを対向させることなく平面部を対向させる。このため、被包装体２の変形を抑制することができる。また、意匠箱である包装箱３の表示の損傷を抑制することができる。
【００７３】
また、外側緩衝部材５０１の第１側面部５０１ｃは、１列目の被包装体２の突部２０２を保持する。外側緩衝部材５０１の第２側面部５０１ｄは、２列目の被包装体２の突部２０２を保持する。このため、被包装体２が包装箱３の収納空間において移動することをより確実に抑制できる。
【００７４】
具体的には、外側緩衝部材５０１の第１側面部５０１ｃは、包装箱３の一側の内側面との間で１列目の被包装体２の突部２０２を挟み込む。外側緩衝部材５０１の第２側面部５０１ｄは、包装箱３の他側の内側面との間で２列目の被包装体２の突部２０２を挟み込む。このため、被包装体２の突部２０２をより確実に保持することができる。
【００７５】
また、被包装体２において、突部２０２は、本体部２０１に対し、包装箱３からの被包装体２の取り出し方向に配置される。このため、被包装体２を包装箱３から容易に取り出すことができる。
【００７６】
また、外側緩衝部材５０１は、包装箱３と同じ材料で形成される。このため、外側緩衝部材５０１と包装箱３とを廃材として処分または再資源化する際の効率を向上することができる。
【００７７】
また、外側緩衝部材５０１は、板紙に同一方向の罫線を付したのみの簡素な構成で形成される。このため、折り曲げ作業の際に向きを変更する必要がなく、手間をかける必要がない。
【００７８】
また、外側緩衝部材５０１は、筒状の単純な形に組立てられる。このため、組立作業が容易である。また、組立作業の自動化も容易である。
【００７９】
次に、図７を用いて、照明装置６の第１変形例を説明する。
図７はこの発明の実施の形態１における包装体から取り出された照明具が取り付けられた照明装置の第１変形例の縦断面図である。
【００８０】
図７に示すように、照明装置６は、天井７に埋め込まれる。照明装置６は、照明器具８と照明具２０３とを備える。
【００８１】
照明器具８は、器具本体８０５とソケット８０６とを備える。
【００８２】
器具本体８０５の外径は、下方に向かって徐々に大きくなる。ソケット８０６は、器具本体の内部の上部に設けられる。
【００８３】
照明具２０３の口金２０３ｃは、ソケット８０６にねじ込まれる。その結果、照明具２０３は、器具本体８０５に覆われる。
【００８４】
次に、図８を用いて、緩衝体５の第１変形例を説明する。
図８はこの発明の実施の形態１における包装体の緩衝体の第１変形例を説明するための図である。具体的には、図８の上段は、外側緩衝部材の縦断面図である。図８の下段は、包装体の縦断面図である。
【００８５】
第１変形例の緩衝体５は、固定部材５０２を備えない。θ３は、外側緩衝部材５０１の下側と上側との折曲角度である。外側緩衝部材５０１の下側と上側との折曲角度θ３は、９０°よりも大きい角度に設定される。
【００８６】
外側緩衝部材５０１が被包装体２における本体部２０１の上面部の突部２０２と包装箱３の内側面とに囲まれた空間に配置されると、外側緩衝部材５０１の上面部５０１ａは、包装箱３の蓋部３０３を押圧する。外側緩衝部材５０１の下面部５０１ｂは、被包装体２の本体部２０１の上面部を押圧する。外側緩衝部材５０１の第１側面部５０１ｃは、１列目の被包装体２の突部２０２を押圧する。外側緩衝部材５０１の第２側面部５０１ｄは、２列目の被包装体２の突部２０２を押圧する。
【００８７】
外側緩衝部材５０１の第１変形例によれば、被包装体２における本体部２０１と突部２０２の変形と包装箱３の蓋部３０３の変形とを抑制することができる。被包装体２における本体部２０１または突部２０２の表示の損傷を抑制することができる。
【００８８】
次に、図９を用いて、緩衝体５の第２変形例を説明する。
図９はこの発明の実施の形態１における包装体の緩衝体の第２変形例を説明するための図である。具体的には、図９の上段は、外側緩衝部材の斜視図である。図９の中段は、外側緩衝部材の縦断面図である。図９の下段は、包装体の縦断面図である。
【００８９】
第２変形例の緩衝体５は、固定部材５０２を備えない。外側緩衝部材５０１は、上面部５０１ａと内面部５０１ｅとを備えない。
【００９０】
第２変形例の緩衝体５によれば、最も簡素な構成の外側緩衝部材５０１を提供することができる。
【００９１】
次に、図１０を用いて、緩衝体５の第３変形例を説明する。
図１０はこの発明の実施の形態１における包装体の緩衝体の第３変形例を説明するための図である。具体的には、図１０の上段は、外側緩衝部材の斜視図である。図１０の中段は、外側緩衝部材の縦断面図である。図１０の下段は、包装体の縦断面図である。
【００９２】
第３変形例の緩衝体５は、固定部材５０２を備えない。外側緩衝部材５０１は、一対の上面部５０１ａを備える。上面部５０１ａの一方は、第１側面部５０１ｃの上縁部に連結される。上面部５０１ａの他方は、第２側面部５０１ｄの上縁部に連結される。
【００９３】
外側緩衝部材５０１が被包装体２における本体部２０１の上面部の突部２０２と包装箱３の内側面とに囲まれた空間に配置されると、第１端面部５０１ｆと第２端面部５０１ｇとは、隙間を空けて配置される。当該隙間の寸法は、Ｗ３に設定される。
【００９４】
第３変形例の緩衝体５によれば、横方向の振動または衝撃が包装体１に加わった際、第１端面部５０１ｆと第２端面部５０１ｇとが互いに突き当たる。このため、一対の上面部５０１ａが互いに重なることはない。その結果、外側緩衝部材５０１の変形を抑制することができる。
【００９５】
次に、図１１を用いて、緩衝体５の第４変形例を説明する。
図１１はこの発明の実施の形態１における包装体の緩衝体の第４変形例を説明するための図である。具体的には、図１１の上段は、外側緩衝部材の斜視図である。図１１の中段は、外側緩衝部材の縦断面図である。図１１の下段は、包装体の縦断面図である。
【００９６】
第４変形例の緩衝体５は、固定部材５０２を備えない。第４変形例の外側緩衝部材５０１は、第３変形例の外側緩衝部材５０１に一対の内面部５０１ｈを付加したものである。その結果、２つの筒状体が形成される。このため、外側緩衝部材５０１は、高い剛性を備える。
【００９７】
第４変形例の緩衝体５によれば、横方向の振動または衝撃が包装体１に加わった際、一対の内面部５０１ｈが互いに突き当たる。このため、外側緩衝部材５０１の変形をより確実に抑制することができる。
【００９８】
次に、図１２を用いて、緩衝体５の第５変形例を説明する。
図１２はこの発明の実施の形態１における包装体の緩衝体の第５変形例を説明するための図である。具体的には、図１２の上段は、外側緩衝部材の斜視図である。図１２の中段は、外側緩衝部材の縦断面図である。図１２の下段は、包装体の縦断面図である。
【００９９】
第５変形例の緩衝体５は、固定部材５０２を備えない。第５変形例の外側緩衝部材５０１は、第４変形例の外側緩衝部材５０１に一対の支持面部５０１ｉを付加したものである。一対の支持面部５０１ｉの各々は、一対の内面部５０１ｈの各々に連結される。第１端面部５０１ｆは、第１側面部５０１ｃを押圧する。第２端面部５０１ｇは、第２側面部５０１ｄを押圧する。その結果、２つの筒状体が形成される。このため、外側緩衝部材５０１は、より高い剛性を備える。
【０１００】
第５変形例の緩衝体５によれば、横方向の振動または衝撃が包装体１に加わった際、一対の内面部５０１ｈが互いに突き当たる。このため、外側緩衝部材５０１の変形をより確実に抑制することができる。
【０１０１】
次に、図１３を用いて、緩衝体５の第６変形例を説明する。
図１３はこの発明の実施の形態１における包装体の緩衝体の第６変形例を説明するための図である。具体的には、図１３の上段は、外側緩衝部材の斜視図である。図１３の中段は、外側緩衝部材の縦断面図である。図１３の下段は、包装体の縦断面図である。
【０１０２】
第６変形例の緩衝体５は、固定部材５０２を備えない。第６変形例の外側緩衝部材５０１は、第４変形例の外側緩衝部材５０１に一対の支持面部５０１ｉを付加したものである。この際、支持面部５０１ｉの一方は、筒状体の一方の対角線上に配置される。支持面部５０１ｉの他方は、筒状体の他方の対角線上に配置される。その結果、第１端面部５０１ｆと第２端面部５０１ｇとの位置が固定される。このため、外側緩衝部材５０１は、より高い剛性を備える。
【０１０３】
第６変形例の緩衝体５によれば、横方向の振動または衝撃が包装体１に加わった際、一対の内面部５０１ｈが互いに突き当たる。このため、外側緩衝部材５０１の変形をより確実に抑制することができる。
【０１０４】
次に、図１４を用いて、緩衝体５の第７変形例を説明する。
図１４はこの発明の実施の形態１における包装体の緩衝体の第７変形例を説明するための図である。具体的には、図１４の上段は、外側緩衝部材の斜視図である。図１４の中段は、外側緩衝部材の縦断面図である。図１４の下段は、包装体の縦断面図である。
【０１０５】
第７変形例の緩衝体５は、固定部材５０２を備えない。第７変形例の外側緩衝部材５０１は、第３変形例の外側緩衝部材５０１を上下反転させたものである。
【０１０６】
第７変形例の緩衝体５によれば、第３変形例の緩衝体５と同等の理由により、外側緩衝部材５０１の変形を抑制することができる。
【０１０７】
次に、図１５を用いて、緩衝体５の第８変形例を説明する。
図１５はこの発明の実施の形態１における包装体の緩衝体の第８変形例を説明するための図である。具体的には、図１５の上段は、外側緩衝部材の斜視図である。図１５の中段は、外側緩衝部材の縦断面図である。図１５の下段は、包装体の縦断面図である。
【０１０８】
第８変形例の緩衝体５は、固定部材５０２を備えない。第８変形例の外側緩衝部材５０１は、第４変形例の外側緩衝部材５０１を上下反転させたものである。
【０１０９】
第８変形例の緩衝体５によれば、第４変形例の緩衝体５と同等の理由により、外側緩衝部材５０１の変形を抑制することができる。
【０１１０】
次に、図１６を用いて、緩衝体５の第９変形例を説明する。
図１６はこの発明の実施の形態１における包装体の緩衝体の第９変形例を説明するための図である。具体的には、図１６の上段は、外側緩衝部材の斜視図である。図１６の中段は、外側緩衝部材の縦断面図である。図１６の下段は、包装体の縦断面図である。
【０１１１】
第９変形例の緩衝体５は、固定部材５０２を備えない。第９変形例の外側緩衝部材５０１は、第５変形例の外側緩衝部材５０１を上下反転させたものである。
【０１１２】
第９変形例の緩衝体５によれば、第５変形例の緩衝体５と同等の理由により、外側緩衝部材５０１の変形を抑制することができる。
【０１１３】
次に、図１７を用いて、緩衝体５の第１０変形例を説明する。
図１７はこの発明の実施の形態１における包装体の緩衝体の第１０変形例を説明するための図である。具体的には、図１７の上段は、外側緩衝部材の斜視図である。図１７の中段は、外側緩衝部材の縦断面図である。図１７の下段は、包装体の縦断面図である。
【０１１４】
第１０変形例の緩衝体５は、固定部材５０２を備えない。第１０変形例の外側緩衝部材５０１は、第６変形例の外側緩衝部材５０１を上下反転させたものである。
【０１１５】
第１０変形例の緩衝体５によれば、第６変形例の緩衝体５と同等の理由により、外側緩衝部材５０１の変形を抑制することができる。
【０１１６】
次に、図１８を用いて、緩衝体５の第１１変形例を説明する。
図１８はこの発明の実施の形態１における包装体の緩衝体の第１１変形例を説明するための図である。具体的には、図１８の上段は、外側緩衝部材の斜視図である。図１８の中段は、外側緩衝部材の縦断面図である。図１８の下段は、包装体の縦断面図である。
【０１１７】
第１１変形例の緩衝体５は、固定部材５０２を備えない。第１１変形例の外側緩衝部材５０１は、第６変形例の外側緩衝部材５０１または第１０変形例の外側緩衝部材５０１を簡素にしたものである。具体的には、第１１変形例の外側緩衝部材５０１は、第７変形例の外側緩衝部材５０１の上面部５０１ａの中央部を下方へ折り曲げた形状となる。
【０１１８】
第１１変形例の緩衝体５によれば、第６変形例の緩衝体５または第１０変形例の緩衝体５と同等の理由により、外側緩衝部材５０１の変形を抑制することができる。
【０１１９】
実施の形態２．
図１９はこの発明の実施の形態２における包装体の分解斜視図である。なお、実施の形態１と同一又は相当部分には、同一符号が付される。当該部分の説明は省略される。
【０１２０】
実施の形態２の被包装体２の配置は、実施の形態１の被包装体２の配置と異なる。実施の形態２において、１列目の被包装体２は、突部２０２を上側に配置させた状態で包装箱３の一側の内側面に突部２０２とは反対側を沿わせて包装箱３に収納される。その結果、１列目の被包装体２の突部２０２は、包装箱３の中央の側に沿って直線状に並ぶ。２列目の被包装体２は、突部２０２を上側に配置させた状態で包装箱３の他側の内側面に突部２０２とは反対側を沿わせて包装箱３に収納される。その結果、２列目の被包装体２の突部２０２は、包装箱３の中央の側に沿って直線状に並ぶ。
【０１２１】
次に、図２０を用いて、緩衝体５を説明する。
図２０はこの発明の実施の形態２における包装体の緩衝体を説明するための図である。具体的には、図２０の上段は、外側緩衝部材の縦断面図である。図２０の下段は、包装体の縦断面図である。
【０１２２】
実施の形態２の緩衝体５は、実際の形態１における第８変形例の緩衝体５と同じである。この場合、１列目の被包装体２の突部２０２と２列目の被包装体２の突部２０２とは、一対の内面部５０１ｈに両側から挟み込まれる。
【０１２３】
以上で説明した実施の形態２によれば、１列目の被包装体２の突部２０２と２列目の被包装体２の突部２０２とは、一対の内面部５０１ｈに両側から挟み込まれる。このため、外側緩衝部材５０１の変形を抑制するだけでなく、被包装体２の変形を抑制することができる。
【０１２４】
次に、図２１を用いて、緩衝体５の第１変形例を説明する。
図２１はこの発明の実施の形態２における包装体１の緩衝体５の第１変形例を説明するための図である。具体的には、図２１の上段は、外側緩衝部材の斜視図である。図２１の中段は、外側緩衝部材の縦断面図である。図２１の下段は、包装体の縦断面図である。
【０１２５】
第１変形例の緩衝体５は、実施の形態１における第９変形例の緩衝体５と同じである。この場合、１列目の被包装体２の突部２０２と２列目の被包装体２の突部２０２とは、一対の内面部５０１ｈに両側から挟み込まれる。
【０１２６】
第１変形例の緩衝体５によれば、外側緩衝部材５０１の変形を抑制するだけでなく、被包装体２の変形を抑制することができる。
【０１２７】
次に、図２２を用いて、緩衝体５の第２変形例を説明する。
図２２はこの発明の実施の形態２における包装体の緩衝体の第２変形例を説明するための図である。具体的には、図２２の上段は、外側緩衝部材の斜視図である。図２２の中段は、外側緩衝部材の縦断面図である。図２２の下段は、包装体の縦断面図である。
【０１２８】
第２変形例の緩衝体５は、実施の形態１における第１０変形例の緩衝体５と同じである。この場合、１列目の被包装体２の突部２０２と２列目の被包装体２の突部２０２とは、一対の内面部５０１ｈに両側から挟み込まれる。
【０１２９】
第２変形例の緩衝体５によれば、外側緩衝部材５０１の変形を抑制するだけでなく、被包装体２の変形を抑制することができる。
【０１３０】
実施の形態３．
図２３はこの発明の実施の形態３における包装体の分解斜視図である。なお、実施の形態１と同一又は相当部分には、同一符号が付される。当該部分の説明は省略される。
【０１３１】
実施の形態３の被包装体２の配置は、実施の形態１の被包装体２の配置と異なる。実施の形態３において、複数の被包装体２は、包装箱３からの取り出し方向と直行する方向に突部２０２を配置させる。
【０１３２】
具体的には、１列目の被包装体２は、突部２０２を包装箱３の長手方向の一方に配置させた状態で包装箱３の一側の内側面に突部２０２を沿わせて包装箱３に収納される。その結果、１列目の被包装体２の突部２０２は、包装箱３の一側の内面に沿って直線状に並ぶ。２列目の被包装体２は、突部２０２を包装箱３の長手方向の他方に配置させた状態で包装箱３の他側の内側面に突部２０２とは反対側を沿わせて包装箱３に収納される。その結果、２列目の被包装体２の突部２０２は、包装箱３の他側の内側面に沿って直線状に並ぶ。
【０１３３】
この際、被包装体２の突部２０２は、他の被包装体２の本体部と包装箱３の内側面との間に挟み込まれる。ただし、化粧箱２０４の長手方向の一方側において、１列目の先頭の被包装体２の突部２０２は、挟み込まれていない。化粧箱２０４の長手方向の他方側において、２列目の先頭の被包装体２の突部２０２は、挟み込まれていない。
【０１３４】
一対の緩衝体５の高さ寸法は、被包装体２の高さ寸法よりも大きい値に設定される。一対の緩衝体５の高さ寸法は、包装箱３の収納空間の高さ寸法よりも小さい値に設定される。
【０１３５】
緩衝体５の一方は、化粧箱２０４の長手方向の一方側において包装箱３の内面と１列目の先頭の被包装体２における本体部２０１と突部２０２とに囲まれた空間に収納される。緩衝体５の他方は、化粧箱２０４の長手方向の他方側において包装箱３の内面と２列目の先頭の被包装体２における本体部２０１と突部２０２とに囲まれた空間に収納される。
【０１３６】
次に、図２４を用いて、被包装体２の例を説明する。
図２４はこの発明の実施の形態３における包装体の被包装体の分解斜視図である。
【０１３７】
図２４に示すように、実施の形態３の化粧箱２０４は、実施の形態１の化粧箱２０４と異なる。実施の形態３の化粧箱２０４において、突部２０４ｄは、本体部２０４ａの長辺の側に設けられる。
【０１３８】
以上で説明した実施の形態３によれば、被包装体２の突部２０２は、他の被包装体２の本体部２０１と包装箱３の内側面との間に挟み込まれる。このため、被包装体２の突部２０２の変形を効率よく抑制することができる。
【０１３９】
また、被包装体２において、突部２０２は、本体部２０１に対し、包装箱３からの被包装体２の取り出し方向と直交する方向に配置される。このため、包装体１の高さ寸法を抑えることができる。
【０１４０】
なお、照明具２０３は、有機ＥＬ（Ｏｒｇａｎｉｃ  Ｅｌｅｃｔｒｏ−Ｌｕｍｉｎｅｓｃｅｎｃｅ）素子、レーザ、フィラメント、放電管（蛍光管）でもよい。照明具２０３は、点灯装置を備えずに外部から直接点灯電力の供給を受けてもよい。照明具２０３は、光源を備えずに照明装置６の一部分を構成するものでもよい。例えば、照明具２０３は、点灯装置でもよい。例えば、照明具２０３は、筐体でもよい。例えば、照明具２０３は、アダプタでもよい。
【０１４１】
また、化粧箱２０４から分離した部材で蓋部２０４ｃの緩衝機能を実現してもよい。
【０１４２】
また、内側緩衝部材２０５を化粧箱２０４と一体と形成してもよい。
【０１４３】
また、Ｂ式、Ｎ式（上差込型、横差込型）、上下差込式、上差込下組式、たとう式（やっこタイプ）の段ボール箱で包装箱３を形成してもよい。
【０１４４】
また、包装箱３と外側緩衝部材５０１とが一体に形成された上仕切式の段ボール箱を用いて包装体１を組み立ててもよい。
【符号の説明】
【０１４５】
１  包装体、  ２  被包装体、  ３  包装箱、  ４  固定体、  ５  緩衝体、  ６  照明装置、  ７  天井、  ８  照明器具、  ２０１  本体部、  ２０２  突部、  ２０３  照明具、  ２０３ａ  本体部、  ２０３ｂ  光透過部、  ２０３ｃ  口金、  ２０３ｄ  放熱部、  ２０３ｅ  絶縁部、  ２０４  化粧箱、  ２０４ａ  本体部、  ２０４ｂ  底部、  ２０４ｃ  蓋部、  ２０４ｄ  突部、  ２１１  第１側面部、  ２１２  第２側面部、  ２１３  第３側面部、  ２１４  第４側面部、  ２１５  貼合部、  ２２１  第１底翼部、  ２２２  第２底翼部、  ２２３  第３底翼部、  ２２４  第４底翼部、  ２２５  貼合部、  ２３１  第１翼部、  ２３１ａ  主板部、  ２３１ｂ  側板部、  ２３１ｃ  挿通孔、  ２３１ｄ  差込部、  ２３２  第２翼部、  ２３２ａ  主板部、  ２３２ｂ  側板部、  ２３２ｃ  保持板部、  ２３３  蓋フラップ、  ２３３ａ  主板部、  ２３３ｂ  差込部、  ２３３ｃ  切込部、  ２４１  第１板部、  ２４２  第２板部、  ２４３  吊下用孔、  ２０５  内側緩衝部材、  ２５１  主板部、  ２５２  第１側板部、  ２５３  第２側板部、  ２５４  挿通孔、  ３０１  本体部、  ３０１ａ  第１側面部、  ３０１ｂ  第２側面部、  ３０１ｃ  貼合部、  ３０２  底部、  ３０２ａ  第１翼部、  ３０２ｂ  第２翼部、  ３０３  蓋部、  ３０３ａ  第１翼部、  ３０３ｂ  第２翼部、  ５０１  外側緩衝部材、  ５０１ａ  上面部、  ５０１ｂ  下面部、  ５０１ｃ  第１側面部、  ５０１ｄ  第２側面部、  ５０１ｅ  内面部、  ５０１ｆ  第１端面部、  ５０１ｇ  第２端面部、  ５０１ｈ  内面部、  ５０１ｉ  支持面部、  ５０２  固定部材、  ８０１  器具本体、  ８０２  ソケット、  ８０３  電源コード、  ８０４  引掛シーリング、  ８０５  器具本体、  ８０６  ソケット
【図１】
0006597129.tif 000002
【図２】
0006597129.tif 000003
【図３】
0006597129.tif 000004
【図４】
0006597129.tif 000005
【図５】
0006597129.tif 000006
【図６】
0006597129.tif 000007
【図７】
0006597129.tif 000008
【図８】
0006597129.tif 000009
【図９】
0006597129.tif 000010
【図１０】
0006597129.tif 000011
【図１１】
0006597129.tif 000012
【図１２】
0006597129.tif 000013
【図１３】
0006597129.tif 000014
【図１４】
0006597129.tif 000015
【図１５】
0006597129.tif 000016
【図１６】
0006597129.tif 000017
【図１７】
0006597129.tif 000018
【図１８】
0006597129.tif 000019
【図１９】
0006597129.tif 000020
【図２０】
0006597129.tif 000021
【図２１】
0006597129.tif 000022
【図２２】
0006597129.tif 000023
【図２３】
0006597129.tif 000024
【図２４】
0006597129.tif 000025